(57)【特許請求の範囲】
【請求項１】
着用者の顔面前面に位置する面金（１０）と、着用者の頭部を被覆して保護するように前記面金（１０）に取り付けられた面布団（１１）と、着用者の喉部を保護するように面金（１０）の下部に取り付けられた顎垂れ（１２）を備えた面防具本体（１）と、
内輪ユニット（２）と、内輪ユニット（２）を支えるための保持ユニット（３）と、から構成され、前記保持ユニット（３）は、前記面防具本体（１）の面金（１０）及び／又は面布団（１１）の内面に取り付けられている内輪（４）と、を備え、
前記内輪ユニット（２）は、着用者の顔面周縁部全体に当接するように環状に形成された内輪部材（２０）と、着用者の額部に当接するように前記内輪部材（２０）の内側上部に取り付けられた天部材（２１）と、着用者の顎部に当接するように前記内輪部材（２０）の内側下部に取り付けられた地部材（２２）と、が一体に形成され、
前記保持ユニット（３）は、内輪ユニット（２）の内輪部材（２０）を支える内輪受け部材（３０）と、内輪ユニット（２）の天部材（２１）を支える天受け部材（３１）と、内輪ユニット（２）の地部材（２２）を支える地受け部材（３２）で構成されると共に、前記内輪受け部材（３０）の外面下部には前記顎垂れ(１２)の背後に位置するように用心垂れ（３３）が取り付けられ、
かつ、前記保持ユニット（３）を構成する内輪受け部材（３０）と、天受け部材（３１）と、地受け部材（３２）に対して、前記内輪ユニット（２）を構成する内輪部材（２０）と、天部材（２１）と、地部材（２２）がそれぞれ面ファスナ（２ａ、２ｂ、２ｃ）、（３ａ、３ｂ、３ｃ）によって着脱可能に装着され、
かつ、前記内輪ユニット（２）の装着状態で、前記保持ユニット（３）の内部に内輪ユニット（２）が嵌合状態に納まった２重構造になるように形成されると共に、内輪ユニット（２）と保持ユニット（３）とを重ねた厚みが通常の内輪の厚みと同じになるように形成されていることを特徴とする面防具。
【発明の詳細な説明】
【技術分野】
【０００１】
本発明は、主に剣道を行う際に着用するほか、長刀や柔剣道等を行う際に着用する面防具に関する。
【背景技術】
【０００２】
剣道等で用いられる面防具は、着用者の顔面前面に位置する面金と、この面金に取り付けられ着用者の頭部を覆って保護する面布団と、上記面金及び／又は面布団の内側に取り付けられ着用者の顔面周縁全体に当接して衝撃を緩和させる内輪と、着用者の額部に当接するように前記内輪の内側上部に取り付けられた天部材と、着用者の顎部に当接するように前記内輪の内側下部に取り付けられた地部材とを備え、また通常は、面金の下部に着用者の喉部を保護する顎垂れを備えている。
そして、この面防具を構成する面布団、内輪、天部材、地部材は竹刀等の打撃による衝撃を緩和するために、分厚く形成されているのが通常である。
【０００３】
このような面防具を着用して激しく動き回ると大量の汗をかき、その汗は面布団や内輪に吸収され、また、汗を吸収した面布団や内輪は乾燥し難く濡れたままになることが多く、しかも洗濯機による洗濯も困難であるため、湿り気、雑菌の繁殖、臭い等どうしても不衛生になってしまう。
【０００４】
従来、着用者の顔面周縁部全体に当接するように環状に形成された内輪部材と、着用者の額部に当接するように前記内輪の内側上部に取り付けられた天部材と、着用者の顎部に当接するように前記内輪の内側下部に取り付けられた地部材と、着用者の喉部を保護するように内輪部材の外面下部に取り付けられた顎垂れを一体に形成した内輪ユニットと、を備え、この内輪ユニットを面ファスナによって面防具本体に着脱可能に装着できるようにした剣道の面が知られている（特許文献１参照）。
【先行技術文献】
【特許文献】
【０００５】
【特許文献１】実開昭４９−８６１６６号公報
【発明の概要】
【発明が解決しようとする課題】
【０００６】
従来の剣道の面は、確かに内輪ユニットを備え、これを面防具本体に着脱可能に装着できるため、内輪ユニットが汗等で汚れた場合には、これを面防具本体から取り外せば容易に洗濯することができ、衛生面での問題を解決することはできる。
【０００７】
しかしながら、従来の内輪ユニットは、内輪部材の左右の外面を面防具本体の面布団の左右内面に止着具（面ファスナ）によって直接に装着させる構造である。
このように、内輪ユニットを面布団の内面に直接に装着させるものでは、内輪ユニットの装着に際し、これを適正な装着位置に保持させるための手段が設けられていないため、内輪ユニットが適正な装着位置から円周方向や奥行き方向等に位置ズレしてしまう。
【０００８】
このため、面防具を着用した際に、内輪ユニットと顔面とがフィットせず、着用に違和感が生じて着用者の集中力に影響を及ぼしたり、又、喉部となる内輪部材の下部については面布団への取り付けができないため装着が不安定になり、使用中顎部分が下がり面防具本体とこすれ、顎を怪我するなど、面防具としての機能が損なわれてしまうという問題があった。
【０００９】
本発明は、面防具本体の内面に着用者の顔のサイズに合わせて取り付けられた保持ユニットから取り外すことができる内輪ユニットを備えることで、これが汗等で汚れた場合でも容易に洗濯することができて衛生を確保できるようにする。
その上で、内輪ユニットを装着する際に、適正な装着位置に位置決めし易く、又、強固で安定した装着状態を得ることができるようにした面防具を提供することを課題としている。
【課題を解決するための手段】
【００１０】
上記の課題を解決するために、本発明の面防具は、以下の構成とした。
即ち、本発明の面防具は、
着用者の顔面前面に位置する面金（１０）と、着用者の頭部を被覆して保護するように前記面金（１０）に取り付けられた面布団（１１）と、着用者の喉部を保護するように面金（１０）の下部に取り付けられた顎垂れ（１２）を備えた面防具本体（１）と、
内輪ユニット（２）と、内輪ユニット（２）を支えるための保持ユニット（３）と、から構成され、前記保持ユニット（３）は前記面防具本体（１）の面金（１０）及び／又は面布団（１１）の内面に取り付けられている内輪（４）と、を備え、
前記内輪ユニット（２）は、着用者の顔面周縁部全体に当接するように環状に形成された内輪部材（２０）と、着用者の額部に当接するように前記内輪部材（２０）の内側上部に取り付けられた天部材（２１）と、着用者の顎部に当接するように前記内輪部材（２０）の内側下部に取り付けられた地部材（２２）と、が一体に形成され、
前記保持ユニット（３）は、内輪ユニット（２）の内輪部材（２０）を支える内輪受け部材（３０）と、内輪ユニット（２）の天部材（２１）を支える天受け部材（３１）と、内輪ユニット（２）の地部材（２２）を支える地受け部材（３２）で構成されると共に、前記内輪受け部材（３０）の外面下部には前記顎垂れ(１２)の背後に位置するように用心垂れ（３３）が取り付けられ、
かつ、前記保持ユニット（３）を構成する内輪受け部材（３０）と、天受け部材（３１）と、地受け部材（３２）に対して、前記内輪ユニット（２）を構成する内輪部材（２０）と、天部材（２１）と、地部材（２２）がそれぞれ面ファスナ（２ａ、２ｂ、２ｃ）、（３ａ、３ｂ、３ｃ）によって着脱可能に装着され、
かつ前記内輪ユニット（２）の装着状態で、前記保持ユニット（３）の内部に内輪ユニット（２）が嵌合状態に納まった２重構造になるように形成されると共に、内輪ユニット（２）と保持ユニット（３）とを重ねた厚みが通常の内輪の厚みと同じになるように形成されている。
【発明の効果】
【００１１】
本発明の面防具は、面防具本体（１）と、内輪ユニット（２）と保持ユニット（３）とから構成された内輪（４）と、を備え、面防具本体（１）に保持ユニット（３）を取り付け、この保持ユニット（３）に対して内輪ユニット（２）を着脱可能に装着させた構成である。
即ち、内輪ユニット（２）の装着状態で、前記保持ユニット（３）の内部に内輪ユニット（２）が嵌合状態に納まった２重構造になるように形成される。
【００１２】
このように、内輪ユニットを保持ユニットから取り外すことができるため、この内輪ユニットが汗等で汚れた場合でも容易に取り外して洗濯することができ、衛生を確保することができる。
【００１３】
又、使用後に内輪ユニットを取り外しておけば、面防具本体に汗等の水分が伝播して染み込むのを防ぐことができるし、内輪ユニットが古くなれば、その内輪ユニットのみ作り替えれば足りるため、買い替えの費用負担を軽減できる。
【００１４】
特に、本発明は面防具本体に内輪を構成する保持ユニットを取り付けている点に特徴がある。
内輪ユニットは着脱可能であるため、使用時には面防具本体に装着させる必要があるが、このとき、内輪ユニットを面防具本体に直接に装着させるのではなく、面防具本体に取り付けた保持ユニットの内部に嵌合状態に納まった２重構造になるように装着させるものである。
【００１５】
このように保持ユニットを設けることによって、この保持ユニットを内輪ユニットを装着させる際のガイド部材として利用することができる。
即ち、保持ユニットの内部に内輪ユニットが丁度に納まるように嵌め込んでいけば、それだけで内輪ユニットを適正な位置に装着させることができ、顔面とのフィット感が得られ、着用に違和感を生じさせることがない。
【００１６】
内輪ユニットを装着した状態では、保持ユニットの内部に内輪ユニットが嵌合状態に納まった２重構造になるため、内輪として必要な緩衝性を得ながら安定よく強固に装着させることができる。
特に、喉部となる内輪部材の下部についても内輪受け部材によって支えることができるため、従来の内輪ユニットを面防具本体に直接に装着させるものと異なり、より安定よく強固に装着させることができる。また、本発明では、内輪ユニットと保持ユニットとを重ねた厚みが通常の内輪の厚みと同じになるように形成されているので、外形が従来の内輪と同様であり、使い方や安全性や固定性などもすべて従来のものとほとんど違いがないので、違和感なく使用することができる。
【図面の簡単な説明】
【００１７】
【図１】本発明の実施例である剣道用面防具を示す断面図。
【図２】内輪ユニットを取り外した状態の剣道用面防具を背面側から見た斜視図。
【発明を実施するための形態】
【００１８】
本実施例の剣道用面防具は、面防具本体１と、内輪ユニット２と保持ユニット３とから構成された内輪４と、を主要な構成として備えている。
【００１９】
前記面防具本体１は、着用者の顔面前面に位置する面金１０と、着用者の頭部を被覆して保護するように前記面金１０に取り付けられた面布団１１と、着用者の喉部を保護するように面金１０の下部に取り付けられた顎垂れ１２を備えている。
【００２０】
前記面金１０には、その周縁部に取り付けられた面渕皮１５を介して面布団１１が取り付けられ、かつ顎渕皮１６を介して顎垂れ１２が取り付けられている。
【００２１】
面金１０は鉄やチタン合金等の金属により形成され、ほぼ顔面の輪郭に沿うように縦方向が長い楕円形の座金１７を有し、この座金１７の中央で上部と下部とを垂直方向に連結する筋金１８と、筋金１８を水平方向に貫通して左右の座金１７に到達する複数の横金１９とが取り付けられている。
【００２２】
前記座金１７の顔面側の全周には藁に帯状の木綿布等を巻き付けて環状に形成した藁束１３が沿着され、この藁束１３と共に前記座金１７の周囲を布材１４で巻き付けている。
【００２３】
面布団１１は頭部を覆う幅で帯状に形成された木綿布等からなり、全面に刺子が施されている。この面布団１１は、前記藁束１３の外周面に面金１０の上部から両側部にかけて縫い付けられ、両端部は垂れ下がっている。
【００２４】
次に、内輪４を構成する内輪ユニット２は、着用者の顔面周縁部全体に当接するように輪に形成された内輪部材２０と、着用者の額部に当接するように前記内輪部材２０の内側上部に取り付けられた天部材２１と、着用者の顎部に当接するように前記内輪部材２０の内側下部に取り付けられた地部材２２と、が一体に形成されている。
【００２５】
前記内輪部材２０は、顎部分を除く部分の幅が通常の内輪に比べ広幅（約３ｃｍ広い）に形成され、これにより顎の動きを妨げることなく顔面に対して十分に密着させることができるようにしている。
【００２６】
又、内輪部材２０は、内部に芯材を入れた綿を木綿の袋体の内部に詰めて縫合したもので、外面の左右２ヶ所に雌の面ファスナ２ａ、２ａが芯材と一緒に縫い付けられている。
【００２７】
前記天部材２１及び地部材２２は半円形の木綿袋の内部に芯材を入れ、その外面に雌の面ファスナ２ｂ、２ｃを芯材と共に縫合し、芯材の反対面にクッション性を高めるための多い目の綿を入れて閉じたものである。
天部材２１は前記内輪部材２０の内側上部に縫合により取り付けられ、地部材２２は前記内輪部材２０の内側下部に縫合により取り付けられるもので、この際、より美しく内輪部材２０に取り付けることができるように縁取りをしている。
【００２８】
尚、前記内輪ユニット２を構成する内輪部材２０、天部材２１、地部材２２の厚みは通常の約２／３程度に形成されている。
【００２９】
次に、内輪４を構成する保持ユニット３は前記内輪ユニット２を支えるためのもので、内輪ユニット２の内輪部材２０を支える内輪受け部材３０と、内輪ユニット２の天部材２１を支える天受け部材３１と、内輪ユニット２の地部材２２を支える地受け部材３２によって構成され、前記面防具本体１の面金１０及び／又は面布団１１の内面に取り付けられている。
【００３０】
前記内輪受け部材３０は生皮を木綿で包んで輪にしたものを縫い固め、内面の左右２ヶ所に前記雌の面ファスナ２ａ、２ａと対をなす雄の面ファスナ３ａ、３ａが縫い付けられている。
又、この内輪受け部材３０の外面下部には前記顎垂れ１２の背後に位置して用心垂れ３３が取り付けられている。
【００３１】
前記天受け部材３１及び地受け部材３２は半円形の木綿袋の内部に芯材を入れ、その外面に雄の面ファスナ３ｂ、３ｃを芯材と共に縫合し、芯材の反対面にクッション性を高めるための多い目の綿を入れて閉じたものである。
【００３２】
尚、前記保持ユニット３を構成する内輪受け部材３０、天受け部材３１、地受け部材３２の厚みは通常の約１／３程度に形成され、この保持ユニット３と前記内輪ユニット２とを重ねた厚みが通常の内輪の厚みとほぼ同じになるように形成している。
【００３３】
そして、前記保持ユニット３の内輪受け部材３０、天受け部材３１、地受け部材３２に対して、前記内輪ユニット２を構成する内輪部材２０と、天部材２１と、地部材２２がそれぞれ面ファスナ２ａ、２ｂ、２ｃ、３ａ、３ｂ、３ｃによって着脱可能に装着され、その装着状態で前記保持ユニット３の内部に内輪ユニット２が嵌合状態に納まった２重構造になるように形成されている。
【００３４】
以上のように、本発明によれば、面防具本体１の内面に取り付けられた保持ユニット３から取り外すことができる内輪ユニット２を備えているため、これが汗等で汚れた場合でも容易に洗濯することができて衛生を確保することができる。
特に、保持ユニット３を備えているため、内輪ユニット２を装着する際に、適正な装着位置に位置決めし易く、又、強固で安定した装着状態を得ることができ、面防具を取り扱う剣道、長刀、柔剣道等の防具製造業で有効に利用できる。
【符号の説明】
【００３５】
１  面防具本体
１０  面金
１１  面布団
１２  顎垂れ
２  内輪ユニット
２０  内輪部材
２１  天部材
２２  地部材
２ａ  面ファスナ
２ｂ  面ファスナ
２ｃ  面ファスナ
３  保持ユニット
３０  内輪受け部材
３１  天受け部材
３２  地受け部材
３ａ  面ファスナ
３ｂ  面ファスナ
３ｃ  面ファスナ
４    内輪
【図１】
0005860236.tif 000002
【図２】
0005860236.tif 000003